(57)【要約】【課題】プロテクタの蓋部を取り付ける汎用性の高いロック機構を提供する。【解決手段】電線付きモジュール１は、電線束９を収容する収容部１３、及び、収容部１３の開口を塞ぐ蓋部６１で構成されるプロテクタ１０を備えている。収容部１３における側壁部５１は、底壁部４１から起立する外側壁部５３と、外側壁部５３よりも内側に配されて配線空間９Ｓに面する内側壁部５５とを含む。蓋部６１は、内側壁部５５の平行部５５１に形成された挿入口５９に対して、収容部１３の外側から内側に向かうように挿入されて、外側壁部５３及び内側壁部５５に介在する挿入部６５を有している。内側壁部５５は、収容部１３に収容された電線束９に当接しており、収容部１３の外側に向けて押されている。そして、この押された内側壁部５５によって、挿入部６５が、収容部１３の外側に向けて押されている。【選択図】図３
2015162915.tif 000002
【特許請求の範囲】
【請求項１】
電線と、前記電線を収容して保護するプロテクタとを含む電線付きモジュールであって、
前記プロテクタは、
前記電線の配索方向に沿って延びる開口部を形成し、かつ、前記電線が収容される配線空間を形成する収容部と、
前記収容部の前記開口部を覆う蓋部と、
を備えており、
前記収容部は、底壁部と、前記底壁部から起立する側壁部とを有しており、
前記蓋部は、前記側壁部に形成された挿入口に対して、前記収容部の外側から内側に向かって挿入される挿入部を有しており、
前記挿入部が、前記収容部に収容された前記電線によって、前記外側に向けて押されている、電線付きモジュール。
【請求項２】
請求項１に記載の電線付きモジュールにおいて、
前記側壁部が、前記プロテクタの外側に面する外側壁部と、当該外側壁部よりも内側に配され、前記配線空間に面する内側壁部とを含み、
前記挿入部は、前記外側壁部及び前記内側壁部の間に介在しており、
前記内側壁部が、前記電線に当接することで前記収容部の外側に向けて押されることによって、前記挿入部に当接している、電線付きモジュール。
【請求項３】
請求項１または２に記載の電線付きモジュールにおいて、
前記挿入部が、前記底壁部に形成された挿入口に挿入されている、電線付きモジュール。
【請求項４】
請求項１から３のいずれか一項に記載の電線付きモジュールにおいて、
前記収容部は、前記底壁部の両端から起立する一対の前記側壁部を有し、
前記蓋部の両端のそれぞれに、一対の前記挿入部が形成されている、電線付きモジュール。
【請求項５】
請求項１から４のいずれか一項に記載の電線付きモジュールにおいて、
前記収容部及び前記蓋部が、一対の板状部と、当該一対の板状部の間に介在する介在部とによって、中空構造を有する中空板材で構成されている、電線付きモジュール。
【請求項６】
請求項５に記載の電線付きモジュールにおいて、
前記中空板材が、プラスチックで形成されている、電線付きモジュール。
【発明の詳細な説明】
【技術分野】
【０００１】
この発明は、電線付きモジュールに関する。
【背景技術】
【０００２】
車両等におけるワイヤーハーネスには、当該ワイヤーハーネスに含まれる電線をその配設経路に応じて経路規制すると共に保護するために、保護部材が取付けられることがある。
【０００３】
このような保護部材の一例として、特許文献１では、長尺Ｕ字溝体のプロテクタ本体に、蓋体を設けたプロテクタが開示されている。
【先行技術文献】
【特許文献】
【０００４】
【特許文献１】特開平０８−１５４３２４号公報
【発明の概要】
【発明が解決しようとする課題】
【０００５】
特許文献１に記載のプロテクタにおいては、蓋体の端部が、電線を収容するプロテクタ本体に設けられた閉鎖ロック部に固定されている。詳細には、閉鎖ロック部は、開口部が弾性変形することによって、蓋体端部に形成された長尺状の突部を内側に収納し、収納後に開口部が狭まることで、突部を保持する。このように、閉鎖ロック部は、弾性変形する素材で形成する必要があり、汎用性が低い。このため、汎用性の高いロック機構が求められている。
【０００６】
そこで、本発明は、プロテクタに好適な、汎用性の高い蓋部のロック機構を提供することを目的とする。
【課題を解決するための手段】
【０００７】
第１の態様は、電線と、前記電線を収容して保護するプロテクタとを含む電線付きモジュールである。前記プロテクタは、前記電線の配索方向に沿って延びる開口部を形成し、かつ、前記電線が収容される配線空間を形成する収容部と、前記収容部の前記開口部を覆う蓋部と、を備えており、前記収容部は、底壁部と、前記底壁部から起立する側壁部とを有している。前記蓋部は、前記側壁部に形成された挿入口に対して、前記収容部の外側から内側に向かって挿入される挿入部を有している。前記挿入部が、前記収容部に収容された前記電線によって、前記外側に向けて押されている。
【０００８】
また、第２の態様は、第１の態様に係る電線付きモジュールの一態様である。第２の態様に係る電線付きモジュールにおいて、前記側壁部が、前記プロテクタの外側に面する外側壁部と、当該外側壁部よりも内側に配され、前記配線空間に面する内側壁部とを含む。前記挿入部は、前記外側壁部及び前記内側壁部の間に介在しており、前記内側壁部が、前記電線に当接することで前記収容部の外側に向けて押されることによって、前記挿入部に当接している。
【０００９】
また、第３の態様は、第１または第２の態様に係る電線付きモジュールの一態様である。第３の態様に係る電線付きモジュールにおいて、前記挿入部が、前記底壁部に形成された挿入口に挿入されている。
【００１０】
また、第４の態様は、第１から第３までの態様に係る電線付きモジュールの一態様である。第４の態様に係る電線付きモジュールにおいて、前記収容部は、前記底壁部の両端から起立する一対の前記側壁部を有し、前記蓋部の両端のそれぞれに、一対の前記挿入部が形成されている。
【００１１】
また、第５の態様は、第１から第４までの態様に係る電線付きモジュールの一態様である。第５の態様に係る電線付きモジュールにおいて、前記収容部及び前記蓋部が、一対の板状部と、当該一対の板状部の間に介在する介在部とによって、中空構造を有する中空板材で構成されている。
【００１２】
また、第６の態様は、第５の態様に係る電線付きモジュールの一態様である。第６の態様に係る電線付きモジュールにおいて、前記中空板材が、プラスチックで形成されている。
【発明の効果】
【００１３】
第１の態様に係る電線付きモジュールによると、挿入部が外側に向けて押されることで、挿入部が挿入口に押し当てられる。これによって、挿入部が側壁部の挿入口から抜け難くなる。したがって、汎用性の高い簡単なロック機構によって、蓋部を収容部に強固に取り付けることができる。
【００１４】
第２の態様に係る電線付きモジュールによると、内側壁部が電線に押されることによって、挿入部が内側壁部に当接して外側壁部に向けて押される。これによって、挿入部が側壁部の挿入口から抜け難くなるため、蓋部を収容部に強固に取り付けることができる。
【００１５】
第３の態様に係る電線付きモジュールによると、蓋部の挿入部が、収容部における底壁部の挿入口にも挿入されることによって、挿入部を抜け難くすることができる。したがって、蓋部を収容部に強固に取り付けることができる。
【００１６】
第４の態様に係る電線付きモジュールによると、電線によって両側の内側壁部が外側に向けてそれぞれ押されるため、両側の挿入部が収容部からよりいっそう抜け難くなる。これによって、蓋部を収容部に強固に取り付けることができる。
【００１７】
第５の態様に係る電線付きモジュールによると、収容部及び蓋部を中空板材で構成することによって、プロテクタの強度を維持しつつ、プロテクタの軽量化を図ることができる。
【００１８】
第６の態様に係る電線付きモジュールによると、中空板材が、プラスチックで形成されていることによって、プロテクタの剛性を高めることができる。
【図面の簡単な説明】
【００１９】
【図１】第１実施形態に係る電線付きモジュールの斜視図である。
【図２】第１実施形態に係るプロテクタを分解して示す斜視図である。
【図３】図１に示されるＩＩＩ−ＩＩＩ位置から見た電線付きモジュールの概略断面図である。
【図４】分解されたプロテクタの概略断面図である。
【図５】第１の例に係る中空板材の部分切欠き斜視図である。
【図６】第２の例に係る中空板材の部分切欠き斜視図である。
【図７】第３の例に係る中空板材の部分切欠き斜視図である。
【図８】第２実施形態に係る電線付きモジュールの概略断面図である。
【図９】第３実施形態に係る電線付きモジュールの概略断面図である。
【発明を実施するための形態】
【００２０】
以下、添付の図面を参照しながら、本発明の実施形態について説明する。なお、図面においては、理解容易のため、必要に応じて各部の寸法や数が誇張または簡略化して図示されている場合がある。
【００２１】
＜１．第１実施形態＞
図１は、第１実施形態に係る電線付きモジュール１の斜視図である。図２は、第１実施形態に係るプロテクタ１０を分解して示す斜視図である。図３は、図１に示されるＩＩＩ−ＩＩＩ位置から見た電線付きモジュール１の概略断面図である。図４は、分解されたプロテクタ１０の概略断面図である。
【００２２】
なお、以下の説明では、説明の便宜上、プロテクタ１０における収容部１３側を下側とし、蓋部６１側を上側とする。ただし、この位置関係は、車両等におけるプロテクタ１０の配置の向き等を限定するものではない。
【００２３】
図１に示される電線付きモジュール１は、１本以上の電線を含む電線束９と、当該電線束９を収容するプロテクタ１０とを備えている。プロテクタ１０は、電線束９を外部（例えば、電線束９の配索経路の周辺にある部材のエッジ部分）から保護する役割、電線束９を所定の配線経路に沿って規制する役割、あるいは、電線束９の断面形状を配線経路における経路スペースに応じた形状に維持する役割等を果たす。
【００２４】
プロテクタ１０は、電線束９の配索方向に沿って延びる開口部１３Ｓを形成しており、電線束９が配される配線空間９Ｓを形成する収容部１３を備えている。
【００２５】
収容部１３は、底壁部４１と、底壁部４１の両端部のそれぞれから上方に起立する一対の側壁部５１，５１とを備えている。
【００２６】
側壁部５１は、収容部１３の外側に面する外側壁部５３と、外側壁部５３よりも内側に配され、配線空間９Ｓに面する内側壁部５５とを備えている。詳細には、側壁部５１のうち、外側壁部５３よりも先端側の部分が内側に折り曲げられることによって、内側側壁部５５が形成されている。内側壁部５５は、平行部５５１と垂下部５５３とを有している。平行部５５１は、直線状に延びる外側壁部５３に対して９０度の角度を成すことで底壁部４１と略平行に延びる部分である。また、垂下部５５３は、当該平行部５５１の端部から下方に延びる部分である。
【００２７】
また、プロテクタ１０は、収容部１３の開口部１３Ｓを覆う蓋部６１を備えている。蓋部６１は、蓋本体部６３、及び、蓋本体部６３の両端部のそれぞれから下方に延びる一対の挿入部６５を備えている。
【００２８】
図３に示されるように、挿入部６５は、側壁部５１における内側壁部５５の平行部５５１に形成された挿入口５９、及び、底壁部４１に形成された挿入口４３に挿入されている。詳細には、挿入部６５は、側壁部５１の挿入口５９に対しては、収容部１３の外側から内側に向かうように挿入されており、底壁部４１の挿入口４３に対しては、収容部１３の内側から外側に向かうように挿入されている。このため、図３等に示されるように、挿入部６５は、外側壁部５３と内側壁部５５の間に介在している。そして、挿入部６５の先端部は、収容部１３の外側に露出している。
【００２９】
挿入部６５は、収容部１３に収容された電線束９によって、収容部１３の外側に向けて押されている。詳細には、図４に示されるように、電線束９が収容される前の収容部１３における、配線空間９Ｓの幅Ｗ１（すなわち、両側の内側壁部５５，５５の間隔）は、電線束９の幅よりも狭くなっている。このため、図３に示されるように、両側の内側壁部５５，５５のそれぞれが、電線束９に当接する。したがって、収容部１３の外側に向けて押される。これによって、両側の内側壁部５５，５５が、隣接する挿入部６５に当接している。したがって、挿入部６５が、電線束９によって間接的に、収容部１３の外側に向けて押されることとなる。
【００３０】
このように、本実施形態に係る電線付きモジュール１によると、挿入部６５が収容部１３の外側に向けて押されることで、挿入部６５が側壁部５１の挿入口５９から抜け難くなる。これによって、蓋部６１を収容部１３に強固に取り付けることができる。
【００３１】
なお、挿入部６５を外側壁部５３に当接するように、挿入口５９の位置等を設定してもよい。この場合、外側壁部５３によっても、外側に向けて押される挿入部６５を内側へ押し返して支えることができる。このため、挿入部６５が収容部１３から外れることを、よりいっそう抑制できる。
【００３２】
また、挿入部６５が、収容部１３の外側に押されることによって、底壁部４１に形成された挿入口４３の内周面にも押し当てられる。このため、挿入部６５が収容部１３から抜け難くなっている。
【００３３】
収容部１３及び蓋部６１は、好ましくは、複数の板状部分の間に中空構造が形成された中空板材で構成される。中空板材を形成する材質は特に限定されず、ＰＰ（ポリプロピレン）等のプラスチック樹脂によって形成されていてもよいし、紙によって形成されていてもよい。このような中空板材は、複数の板状部材が、中空構造を介して間隔をあけて配設されているため、曲り難く、また、中空構造を形成する構造体によって強度を向上させることができる。このため、中空板材は、強度的に優れる。しかも、中空板材内に中空構造が存在しているため、軽量化及び材料の削減を図ることもできる。
【００３４】
また、プラスチック製の中空板材を採用することによって、プロテクタ１０の剛性を高めることができる。プロテクタ１０の剛性を高めることによって、プロテクタ１０の保護性能を向上できるとともに、電線束９の経路規制を適切に行うことができる。
【００３５】
＜中空板材＞
次に、中空板材の構成について説明する。図５は、第１の例に係る中空板材２０の部分切欠き斜視図である。
【００３６】
中空板材２０は、一対の板状部２１，２３と、当該一対の板状部２１，２３の間に挟み込まれて介在する介在部２５とを備えている。
【００３７】
板状部２１，２３および介在部２５の材質は、特に限定されないが、例えば、ＰＰ（ポリプロピレン）等のプラスチック樹脂、紙、又は、これらの組み合わせ等が考えられる。板状部２１，２３および介在部２５のうち少なくとも１つが紙によって形成される場合には、その表面に撥水処理等が施されることが好ましい。
【００３８】
板状部２１，２３は、平板状に形成されている。介在部２５は、板状部２１，２３の双方に連結されている。すなわち、板状部２１，２３が、介在部２５を介して、所定の間隔をあけた状態で連結されている。
【００３９】
介在部２５は、凹凸形状を呈する板状に形成された部材である。かかる介在部２５が、板状部２１，２３の間に挟み込まれた状態で、それぞれの内向き面に接合されている。板状部２１，２３及び介在部２５の接合は、例えば、接着剤、粘着剤等によって行われる。これによって、介在部２５が呈する凹凸形状に応じた中空構造が、一対の板状部２１，２３の間に形成される。
【００４０】
介在部２５は、山部２７ａと谷部２７ｂとが波状に連続する形状に形成されている。山部２７ａの延在方向と谷部２７ｂの延在方向とは、平行な位置関係にあり、従って、介在部２５を平面視すると、複数の山部２７ａと複数の谷部２７ｂとが交互に並列状に形成された構成とされている。山部２７ａの頂部と谷部２７ｂの底部とは、湾曲していてもよいし、所定の角度をなして曲がっていてもよい。
【００４１】
そして、介在部２５が板状部２１，２３の間に挟み込まれ、谷部２７ｂの底部の下面と板状部２１とが接合されると共に、山部２７ａの頂部の上面と板状部２３とが接合されている。
【００４２】
このような中空板材２０は、板状部２１，２３が間隔をあけて、介在部２５によって連結されているため、曲り難い。また、板状部２１，２３間に介在部２５が介在しているため、当該介在部２５によっても中空板材２０が曲り難くかつ凹み難いように補強される。特に、本例では、山部２７ａ及び谷部２７ｂの延在方向において、中空板材が曲り難くなっている。このため、本中空板材２０は、強度的に優れる。
【００４３】
また、中空板材２０の板状部２１，２３の間に中空構造が形成されている分、プロテクタ１０の軽量化及び材料費の低減を図ることもできる。
【００４４】
上記中空板材２０の一製造例について説明しておく。
【００４５】
介在部２５は、例えば、平板状の部材を、凹凸面を有するプレス型の間に挟み込むことで形成することができる。例えば、帯状をなす平板状の部材を所定の搬送路に沿って連続的に供給すると共に、当該搬送路に沿って一対のローラを配設する。この一対のローラの表面には、凹凸形状を形成しておく。そして、帯状をなす平板状の部材を所定の搬送路に沿って搬送しつつ、当該平板状の部材を一対のローラで連続的に挟み込んでいくことで、介在部２５を連続的に形成することができる。
【００４６】
また、上記所定の搬送路に沿って、一対のローラの下流側に、一対の帯状の板状部２１，２３を連続的に供給して、当該一対の帯状の板状部２１，２３の間に介在部２５を順次挟、み込んで接着剤等で接合していく。これによって、中空板材２０を連続的に製造することができる。
【００４７】
なお、中空板材２０に、電磁シールド部材が設けられていてもよい。電磁シールド部材としては、金属箔（アルミ箔）等を用いることができる。また、中空板材２０に電磁シールド部材を取付ける構成としては、接着剤を用いた貼り合せ構成等を採用することができる。
【００４８】
中空板材２０の少なくとも一部に電磁シールド部材を設けることで、中空板材２０によって形成されるプロテクタ内に収容される電線束９を、電磁的に遮蔽することができる。なお、電磁シールド部材は、中空板材２０の一方主面に設けられていれば、ワイヤーハーネスに対する電磁シールドを行える。
【００４９】
図６は、第２の例に係る中空板材２０Ａの部分切欠き斜視図である。中空板材２０Ａは、介在部２５に代えて介在部２５Ａが用いられている点で、中空板材２０とは異なっている。
【００５０】
すなわち、介在部２５Ａは、凹凸形状を呈する板状に形成された部材であり、具体的には、介在部２５Ａの平面視において点在するように複数の突部２９が形成された構成とされている。ここでは、介在部２５Ａを平面視した状態において、複数の突部２９が縦横に一定間隔で並ぶように形成されている。
【００５１】
突部２９は、介在部２５Ａのうち平板状に延在する基板部３１から一方主面側に突出するように形成されており、筒の上端部が閉じられた形状を呈している。ここでは、突部２９は、上方に向けて徐々に狭まる形状、即ち、錐台形状に形成されている。突部２９は、円錐台形状に形成されていてもよいし、角錐台形状に形成されていてもよいし、角錐台の角を丸めた形状に形成されていてもよい。
【００５２】
そして、介在部２５Ａが板状部２１，２３の間に挟み込まれ、基板部３１の下面が板状部２１に接合され、突部２９の頂部が上側の板状部２３に接合されている。もちろん、基板部３１の下面が板状部２３に接合され、突部２９の頂部が板状部２１に接合されていてもよい。
【００５３】
このような中空板材２０Ａによると、上記中空板材２０と同様に、強度的に優れ、かつ、軽量化を図ることができる。特に、中空板材２０Ａは，点在する複数の突部２９を備えているため、曲り難さの方向性を無くすることができる。
【００５４】
図７は、第３の例に係る中空板材２０Ｂの部分切欠き斜視図である。
【００５５】
この中空板材２０Ｂは、樹脂材料によって形成された部材であり、プロテクタ１０の内側に面する板状部２１Ｂと、プロテクタ１０の外側に面する板状部２３Ｂと、板状部２１Ｂ，２３Ｂの間に介在する複数の介在部２５Ｂとを備えている。
【００５６】
図７に示されるように、中空板材２０Ｂは、はしご状断面を有する形状に形成されている。具体的には、板状部２１Ｂ，２３Ｂは、平板状に形成されている。そして、板状部２１Ｂ，２３Ｂが、介在部２５Ｂを介して間隔をあけた状態で連結されている。
【００５７】
そして、板状部２１Ｂ，２３Ｂの間に、複数の介在部２５Ｂが相互間に間隔をあけた並列状態で設けられている。
【００５８】
各介在部２５Ｂは、細長い板状に形成されており、両側の板状部２１Ｂ，２３Ｂに対して直交する姿勢で立設されている。板状部２１Ｂ，２３Ｂ及び介在部２５Ｂは、一体成型されている。
【００５９】
このため、中空板材２０Ｂを、介在部２５Ｂの延在方向に対して直交する面で切断すると、その切り口が、一対の板状部２１Ｂ，板状部２３Ｂの間に複数の介在部２５Ｂが延在するはしご状断面となっている。
【００６０】
このような中空板材２０Ｂは、例えば、はしご状断面に応じた押出孔から樹脂を押出す押出成型装置によって、連続的に製造することができる。このため、中空板材２０Ｂは、低コストで製造することが容易となっている。
【００６１】
このような中空板材２０Ｂによっても、上記中空板材２０と同様に、強度的に優れたものとすることができ、かつ、軽量化を図ることができる。また、このような中空板材２０Ｂは、樹脂材料の押出成型によって効率よく製造できるというメリットもある。
【００６２】
なお、複数の介在部２５Ｂは、板状部２１Ｂ，２３Ｂ間において、例えば、三角柱等の多角柱状の中空形状を形成するものであってもよい。特に、ハニカム構造を形成するものであれば、中空板材２０Ｂの強度を高めることができる。
【００６３】
なお、中空板材２０，２０Ａ，２０Ｂの厚み寸法は、１．５ｍｍ〜１５．０ｍｍ程度であることが好ましい。
【００６４】
また、中空板材２０、２０Ｂのように、空間が並列状に形成されたタイプについては、並列状に形成された空間を仕切る部分のピッチが、４ｍｍ〜２０ｍｍ程度であることが好ましい。
【００６５】
さらに、中空板材２０Ａのように、点在する突部によって中空構造が形成されているタイプでは、各突部のピッチが、２ｍｍ〜６ｍｍ程度であることが好ましい。
【００６６】
もちろん、収容部１３及び蓋部６１は、中空板材で構成されていなくてもよい。例えば、収容部１３及び蓋部６１が、不織布を加熱圧縮することによって、剛性を有する板状に成形されたもので構成されていてもよい。
【００６７】
＜２．  第２実施形態＞
次に、第２実施形態について説明する。なお、以降の説明において、既に説明した要素と同様の機能を有する要素については、同符号またはアルファベットを追加した符号を付して、詳細な説明を省略する場合がある。
【００６８】
図８は、第２実施形態に係る電線付きモジュール１Ａの概略断面図である。本実施形態に係る電線付きモジュール１Ａは、収容部１３Ａ及び蓋部６１Ａが一体成形されたものとして構成されている。
【００６９】
詳細には、収容部１３Ａの底壁部４１における、一端部には、上方に起立する側壁部５１が形成されており、他端部には、上方に起立する側壁部５１Ａが形成されている。側壁部５１Ａは、側壁部５１における内側壁部５５を有しておらず、蓋部６１Ａに連結している。蓋部６１Ａは、一端部のみに下方に延びる挿入部６５を有しており、当該挿入部６５が収容部１３Ａの内側壁部５５に形成された挿入口５９及び底壁部４１に形成された挿入口４３にそれぞれ挿入されている。蓋部６１Ａの他端部は、側壁部５１Ａに連結されている。
【００７０】
電線束９が収容部１３Ａに収容される前の内側壁部５５と側壁部５１Ａの幅は、電線束９の幅よりも短くなっている。このため、電線束９が収容部１３に収容されると、電線束９が内側壁部５５に当接する。これによって、挿入部６５が、内側壁部５５に外側へ押される。したがって、挿入口５９及び挿入口４３の内周面に押し当てられるため、挿入部６５が抜け難くなる。なお、挿入口５９及び４３の位置を調整することによって、挿入部６５が外側壁部５３に接触するようにしてもよい。
【００７１】
＜３．第３実施形態＞
図９は、第３実施形態に係る電線付きモジュール１Ｂの概略断面図である。電線付きモジュール１Ｂは、収容部１３とは構成が異なる収容部１３Ｂと、蓋部６１とを備えている。詳細には、底壁部４１の両側に起立する側壁部５１Ｂにおいて、挿入口５９が形成された平行部５５１を有するが、垂下部５５３が省かれている。
【００７２】
また、収容部１３に固定される前の蓋部６１における両側の挿入部６５，６５間の長さは、電線束９の幅よりも短く設定されている。このため、挿入部６５が収容部１３に装着された状態である電線付きモジュール１Ｂにおいては、電線束９が、蓋部６１における両側の挿入部６５，６５に直接当接している。したがって、挿入部６５，６５がそれぞれ収容部１３の外側に向けて押されて、挿入口５９及び４３の内周面に押し当てられている。このため、蓋部６１が、収容部１３から外れ難くなっている。なお、挿入口５９及び４３の位置を調整することによって、挿入部６５が外側壁部５３に接触するようにしてもよい。
【００７３】
以上、実施形態について説明してきたが、本発明は上記のようなものに限定されるものではなく、様々な変形が可能である。
【００７４】
例えば、上記実施形態では、挿入部６５が内側壁部５５の平行部５５１に形成されているが、例えば、外側壁部５３に形成されていてもよい。
【００７５】
この発明は詳細に説明されたが、上記した説明は、すべての局面において、例示であって、この発明がそれに限定されるものではない。例示されていない無数の変形例が、この発明の範囲から外れることなく想定され得るものと解される。また、上記各実施形態及び各変形例で説明した各構成は、相互に矛盾しない限り適宜組み合わせることができる。
【符号の説明】
【００７６】
１，１Ａ，１Ｂ  電線付きモジュール
１０  プロテクタ
１３，１３Ａ，１３Ｂ  収容部
１３Ｓ  開口部
２０，２０Ａ，２０Ｂ  中空板材
２１，２１Ｂ，２３，２３Ｂ  板状部
２５，２５Ａ，２５Ｂ  介在部
４１  底壁部
４３  挿入口
５１，５１Ａ，５１Ｂ  側壁部
５３  外側壁部
５５  内側壁部
５５１  平行部
５５３  垂下部
５９  挿入口
６１，６１Ａ  蓋部
６３  蓋本体部
６５  挿入部
９  電線束
９Ｓ  配線空間
【図１】
2015162915.tif 000003
【図２】
2015162915.tif 000004
【図３】
2015162915.tif 000005
【図４】
2015162915.tif 000006
【図５】
2015162915.tif 000007
【図６】
2015162915.tif 000008
【図７】
2015162915.tif 000009
【図８】
2015162915.tif 000010
【図９】
2015162915.tif 000011